(57)【要約】      （修正有）【課題】送風機から吹き出された風を効率よくワックスが塗布された床面や階段面に吹きつけ可能なワックス乾燥装置を提案する。【解決手段】ワックス乾燥装置は送風機２と送風袋３を有し、前記送風袋は可ぎょう性の素材から形成され、縦長の筒状胴部３１と前記筒状胴部の一端に形成されている開口部３２と、前記筒状胴部の他端を閉鎖することにより形成された底部３３とを備えている。さらに前記筒状胴部は、前記開口部から前記底部を先端閉鎖部に延びる通気性部分３５を備え、前記通気性部分以外の部分は風を通さない気密性部分３４から形成されている。さらに又前記送風袋は前記通気性部分が下を向く状態に前記開口部が前記送風機の送風側に取付けられている。そして前記送風袋に風が送り込まれると、前記送風袋は筒状に膨張して浮上すると共に、前記通気性部分から下方に向けて風が吹き出される。【選択図】図２
2006231308.tif 000002
【特許請求の範囲】
【請求項１】
送風機と送風袋を有し、前記送風袋は可ぎょう性の素材から形成され、縦長の筒状胴部と、前記筒状胴部の一端に形成されている開口部と前記筒状胴部の他端を閉鎖することにより形成された底部とを備えており、前記筒状胴部は前記開口部から前記底部に向けて延びる通気性部分を備え、前記通気性部分以外の部分は風を通さない気密性部分から形成されており、前記送風袋は前記通気性部分が下側に位置するように前記開口部が前記送風機の送風口側に取り付けられており、前記送風袋に風が送り込まれると前記送風袋は筒状に膨張して浮上すると共に前記通気性部分から下方に向けて風が吹き出されることを特徴とする床ワックス乾燥装置。
【請求項２】
請求項１において前記送風袋の開口部は前記送風機に対して脱着可能で取り付けられていることを特徴とする床ワックス乾燥装置。
【請求項３】
前記送風袋の前記筒状胴部における前記底部の側の部分を折り畳むことにより、前記送風袋の長さ調整が可能となっていることを特徴とする床ワックス乾燥装置。
【請求項４】
請求項１ないし３のうちのいずれかの項において前記送風袋は気密性の布と通気性の布を縫合することにより形成されていることを特徴とする床ワックス乾燥装置。
【請求項５】
請求項１ないし４のうちいずれかの項において前記送風袋は送風方向を少なくとも上下左右に調整可能であることを特徴とする床ワックス乾燥装置。
【発明の詳細な説明】
【技術分野】
【０００１】  本発明は床や階段に塗布したワックスを効率良く乾燥可能なワックス乾燥装置に関する。
【背景技術】
【０００２】  事務所ビル、ホテル、病院、店舗等では定期的に床のクリーニングを施し、ビニールタイルの汚れを洗浄しワックスを塗布し、送風機を用いて塗布面に風を当てることにより、乾燥時間の短縮化を図っている。【０００３】  しかしながら例えば床面に塗布したワックスを乾燥させるために、ワックス塗布面に風を当てる場合、送風機の送風方向はワックス塗布面である床面とほぼ平行な方向となる。このため送風機から吹き出された風の一部しかワックス塗布面に当らないので乾燥効率が極めて悪いという問題点がある。特に階段の場合の乾燥は平らな床面の数倍の時間を要さねばならない。【０００４】  そこで送風機の送風方向を下向きにすれば、ワックス塗布面に当る風の量を増加させ、乾燥効率を改善できる。かかるワックス乾燥装置は、例えば下記の特許文献１に開示されている。ここに開示されているワックス簡易乾燥装置は移動自在な手押し台車の台板の下面にワックス塗布面に風を吹きつけ可能な送風機が取り付けられた構造となっている。
【特許文献１】  特開平１０−１９２７５９号公報
【発明の開示】
【発明が解決しようとする課題】
【０００５】  しかしながらワックスの塗布後は完全に乾燥しない限り、台車のタイヤで床面の移動はタイヤの痕跡を着けることになり、左右タイヤの間隔以内にのみ塗布可能という制限を受け、また階段においては使用困難であるので、乾燥には時間が相当掛かってしまう。【０００６】  本発明の課題は上記の点に鑑みて、送風機から吹き出された風を効率良くワックスが塗布された床面や階段面に吹きつけ可能なワックス乾燥装置を提案することにある。
【課題を解決するための手段】
【０００７】  上記の課題を解決するために、本発明のワックス乾燥装置は送風機２と送風袋３を有している。また、前記送風袋は可ぎよう性の素材から形成され、縦長の筒状胴部と前記筒状胴部の一端に形成されている開口部３２と、前記筒状胴部の他端を閉鎖することにより形成された底部とを備えている。さらに前記筒状胴部は、前記開口部から前記底部を先端閉鎖部に延びる通気性部分３５を備え、前記通気性部分以外の部分は風を通さない気密性部分から形成されている。さらに又前記送風袋は前記通気性部分３５が下を向く状態に前記開口部３２が前記送風機の送風側に取り付けられている。そして前記送風袋３に風が送り込まれると、前記送風袋３は筒状に膨張して浮上すると共に、前記通気性部分３５から下方に向けて風が吹き出されることを特徴としている。【０００８】  本発明のワックス乾燥装置では送風袋の重量、送風機の送風量を適切に設定しておくことにより、送風機２から送風袋３に風が吹き込まれると、可ぎょう性素材からなる送風袋３が膨張して、吹き込まれた風が通気性部分３５から下方にむけて吹き出される状態が形成され送風袋３は床面から浮上した状態（図２）になる。【０００９】  この状態の送風袋３をワックスが塗布されている床面上に送風袋先端部にあけられた穴３７の両端とハンドル２１の間に紐３６を張り渡し、送風機２を右あるいは左に回して送風方向を変えると、それに伴って送風袋３も送風機２を中心として右側あるいは左側に旋回するので新たなワックス塗布面の乾燥を行うことができる（図１）【００１０】  ここで、送風袋３の通気性部分３５から吹き出される風の量が、その開口部側から先端部までの部分において、送風袋３を安定させるためには、通気性部分の面積と通気性素材との組み合わせと更には先端部に錘を加減することで水平を保つことができ、階段の乾燥の場合は、錘を軽くすること、又は送風量を多くすることで、先端部を上昇させ上方階に向かう階段を、又錘を重くすることで下方階の階段を容易に乾燥する効果を発揮する。
【発明の効果】
【００１１】    以上説明したように、本発明のワックス乾燥装置では、送風機によって送風袋を床面などから浮上させると共に、当該送風袋の下側部分に通気性部分が位置するようにし、当該部分から下方に風が吹き出るようになっている。
従って、送風機から水平に吹き出された風を、床面などのワックス塗布面に対して、広い範囲に亘り垂直な方向から吹き付けることができる。
よって、ワックス塗布面の乾燥を効率良く、しかも迅速に行うことが可能になる。また送風袋はワックス塗布面から浮上しているので、未乾燥状態のワックスが送風袋に付着して床面から拭き取られてしまうなどといった弊害も発生しない。【００１２】    さらに、本発明のワックス乾燥装置を用いれば、階段の踏み面、蹴込面、奥隅部分に塗布したワックスを効率良くしかも迅速に乾燥させることができる。
【発明の実施するための最良の形態】
【００１３】  以下、本発明の実施の形態を図１〜図５に基ずいて説明する。
【００１４】    図において図１は本実施の形態に係るワックス乾燥装置の使用状態での概略斜視図である。図２（ａ），（ｂ），（ｃ）および（ｄ）はそれぞれ、図１のワックス乾燥装置の概略構成図、その送風袋の側面図、送風袋の断面図、送風袋の裏面図、および送風袋の開口部を示す正面図である。  これらの図を参照して説明すると、ワックス乾燥装置１は送風機２送風袋３を有している。
【００１５】  送風機２は一般に市販されているものを用いることができ、送風量は３段階に調節可能なものが多い。
【００１６】  送風袋３は可ぎょう性素材から形成された縦長の円筒状の袋であり、円筒状胴部３１と、その一端に形成されている開口部３２と、円筒状胴部３１の他端を閉鎖することにより、形成された底部３３とを備えている。
【００１７】  この送風袋３は風を通さない気密性の布３４と風を通すメッシュ状の通気性の布３５（図２−ＣでＸで示す部分）とを縫合することにより形成されている。気密性の布３４は例えばナイロン製の布であり、通気性の布３５は例えばポリエステル製ネット又はナイロン製ネットである。本例の送風袋３では気密性の布３４の幅は通気性の布３５より可なり広い。
【００１８】  また、送風袋３の開口部３２の縁にはベルトが取り付けられており、送風機２の送風口に着脱可能な状態で取り付けられている。送風袋３はその通気性の布３５が下を向く状態で送風機２に取り付けらている。
【００１９】  （ワックス乾燥動作）
上記構成のワックス乾燥装置１を用いて床面に塗布されたワックスを乾燥する場合の動作を説明する。まず図３に示すように斜線で示す床面部分がワックスが塗布されたワックス塗布面４であるとする。この場合にはワックスが塗布されていない床面部分あるいは既にワックスが乾燥した後の床面部分５にワックス乾燥装置１を置く。次に送風機２を駆動して送風袋３に風を送り込む。送風袋３は風が送り込まれると、図１、図２（ａ）に示すように膨張して水平に延び床面部分５から浮上すると共に、その下面側の部分を規定している通気性の布３５から下方に向けて風が吹き出された状態が形成される。
【００２０】  この状態が形成された後に、図３において矢印で示すように送風機２を９０度回転させる。この結果、送風機２を中心として水平に延びている送風袋３も９０度旋回して、ワックスが未乾燥状態のワックス塗布面４の上に位置する。この状態においては送風機２から前方に向けて水平に吹き出された風は、送風袋３に吹き込まれて、その下側の通気性の布３５を通って、ほぼ垂直に下方に吹き出される。よって送風袋３の下側に位置しているワックス塗布面４の部分に送風機２から吹き出された風がほぼ垂直方向から効率良く吹き付けられる。よって、ワックス塗布面４を効率良く乾燥させることができる。
【００２１】  次に図４を参照して本例のワックス乾燥装置１を用いて階段のワックス塗布面を乾燥させる場合の動作を説明する。送風機２を駆動して送風袋３を膨張させると共に浮上させる。次に送風量を多くするか、先端部の錘を調整して先端部を上昇させ、図４（ａ）に示すように踊り場から昇り階段を乾燥することができる。又先端部の錘を加えると、図４（ｂ）に示すように踊り場から降り階段を乾燥することができる。この状態において、図４（ｃ）に示すように送風袋３の通気性の布３５の部分から下方に吹き出される風が階段７の踏み面８および蹴込面９に吹き付けられると共に奥隅部分１０にも確実に吹き付けられる。よって階段７におけるワックスの乾燥動作を効率良く、しかも短時間で行うことができる。
【００２２】  また、本例の送風袋３は、気密性の布３４と通気性の布３５を縫合することにより形成してあるが、気密性を備えた単一素材の布から形成し、その一部をメッシュ状にして通気性部分を形成することも可能である。
【００２３】  送風機のメーカーによる送風量が多い場合に、送風袋３の開口部３２の直近部分が負圧状態になることがある、それによる振動を防止する方法として、開口部からのメッシュの始点を若干距離をとれば安定する。
【図面の簡単な説明】
【００２４】
【図１】本発明を適用したワックス乾燥装置の使用状態での概略斜視図
【図２】（ａ），（ｂ），（ｃ）および（ｄ）はそれぞれ図１のワックス乾燥装置の概略構成図、その送風袋のＡ−Ａ線断面図、送風袋の裏面図、送風袋の開口部を示す正面図
【図３】図１のワックス乾燥装置を用いてワックスが塗布された床面を乾燥させる手順を説明図
【図４】図１のワックス乾燥装置を用いて階段に塗布されたワックスを乾燥させている状態を示す説明図
【符号の説明】
【００２５】１      ワックス乾燥装置
２      送風機
２１    ハンドル
３      送風袋
３１    開口部
３２    底部
３４    気密性の布
３５    通気性の布
３６    紐
３７    ハトメ穴
４、５  床面部分
６      踊り場
７      階段
８      踏み面
９      蹴込面
１０    奥隅
【図１】
2006231308.tif 000003
【図２】
2006231308.tif 000004
【図３】
2006231308.tif 000005
【図４】
2006231308.tif 000006
【手続補正書】
【提出日】平成17年6月13日(2005.6.13)
【手続補正１】
【補正対象書類名】特許請求の範囲
【補正対象項目名】請求項１
【補正方法】変更
【補正の内容】
【請求項１】
送風機と送風袋を有し、前記送風袋は可撓性の素材から形成され、縦長の筒状胴部と、前記筒状胴部の一端に形成されている開口部と前記筒状胴部の他端を閉鎖することにより形成された底部とを備えており、前記筒状胴部は前記開口部から前記底部に向けて延びる通気性部分をそなえ、前記通気性部分以外の部分は風を通さない気密性部分から形成されており、前記送風袋は前記通気性部分が下側に位置するように前記開口部が前記送風機の送風口側に取り付けられており、前記送風袋に風が送り込まれると前記送風袋は筒状に膨張して浮上すると共に前記通気性部分から下方に向けて風が吹き出されることを特徴とする床ワックス乾燥装置。
【手続補正２】
【補正対象書類名】明細書
【補正対象項目名】０００７
【補正方法】変更
【補正の内容】
【０００７】  上記の課題を解決するために、本発明のワックス乾燥装置は送風機２と送風袋３を有している。また前記送風袋は可撓性の素材から形成され、縦長の筒状胴部と前記筒状胴部の一端に形成されている開口部３２と、前記筒状胴部の他端を閉鎖することにより形成された底部とを備えている。さらに前記筒状胴部は、前記開口部から前記底部を先端閉鎖部に延びる通気性部分３５を備え、前記通気性部分以外の部分は風を通さない気密性部分から形成されている。さらに又前記送風袋は前記通気性部分３５が下を向く状態に前記開口部３２が前記送風機の送風側に取り付けられている。そして前記送風袋３に風が送り込まれると、前記送風袋３は筒状に膨張して浮上すると共に、前記通気性部分３５から下方に向けて風が吹き出されることを特徴としている。
【手続補正３】
【補正対象書類名】明細書
【補正対象項目名】０００８
【補正方法】変更
【補正の内容】
【０００８】本発明のワックス乾燥装置では送風袋の重量、送風機の送風量を適切に設定しておくことにより、送風機２から送風袋３に風が吹き込まれると、可撓性素材からなる送風袋３が膨張して、吹き込まれた風が通気性部分３５から下方にむけて吹き出される状態が形成され送風袋３は床面から浮上した状態（図２）になる。
【手続補正４】
【補正対象書類名】明細書
【補正対象項目名】００１８
【補正方法】変更
【補正の内容】
【００１８】また、送風袋３の開口部３２の縁にはバンドが取り付けられており、送風機２の送風口に着脱可能な状態で取り付けられている。送風袋３はその通気性の布３５が下を向く状態で送風機２に取り付けられている。